(57)【要約】【課題】本発明は、リンクアダプテーションを実現するための方法を提供する。【解決手段】当該方法は、ダウンリンク探査チャンネルとチャンネル品質情報CQIフィードバック資源指示を送信することと、CQI情報を受信し、前記CQI情報によって、ダウンリンクデータ伝送に適切な伝送モードを選出することと、を含む。本発明はネットワーク機器と端末装置を提供する。本発明の提供する方法と装置を用いることで、スペクトルの利用率とシステム性能の向上を実現することができる。【選択図】図１３
2014509806.tif 000002
【特許請求の範囲】
【請求項１】
リンクアダプテーションを実現する方法であって、
ダウンリンク探査チャンネルとチャンネル品質情報CQIフィードバック資源指示を送信することと、
CQI情報を受信し、前記CQI情報によって、ダウンリンクデータ伝送に適切な伝送モードを選出することと、を含むことを特徴とする方法。
【請求項２】
請求項1に記載の方法であって、
前記CQIフィードバック資源指示は、STAの標識IDと配分された資源指示を含むことを特徴とする方法。
【請求項３】
請求項2に記載の方法であって、
上述の配分された資源指示は、シンボルオフセット、継続時間、サブチャンネルマッピング、CQI伝送モードという情報のうちの一つまたは複数を含み、
ただし、前記CQI伝送モードは、変調・符号化方式MCSと空間ストリーム数指示Nssとを含むことを特徴とする方法。
【請求項４】
請求項1に記載の方法であって、
前記CQIフィードバック資源指示は、端末装置が前記CQI情報を周期的にフィードバックするように指示するためのフィードバック周期を含むことを特徴とする方法。
【請求項５】
請求項4に記載の方法であって、さらに、
前記端末装置は、前記フィードバック周期計算時間に応じて、時間がフィードバック周期になると、CQI情報を直接にフィードバックすることを含むことを特徴とする方法。
【請求項６】
請求項1に記載の方法であって、さらに、
端末装置が前記CQI情報をフィードバックするように指示するためのCQIフィードバック要求を送信することを含むことを特徴とする方法。
【請求項７】
請求項6に記載の方法であって、
上述の CQIフィードバック要求を送信することは、具体的に、
前記CQIフィードバック要求をMAC層で探査フレームとしてパッケージして送信し、或いは、物理層におけるコントロールチャンネルで前記CQIフィードバック要求を指示することを含むことを特徴とする方法。
【請求項８】
請求項6に記載の方法であって、さらに、
前記端末装置は、前記CQIフィードバック要求に応答し、フィードバック資源においてCQIフィードバック資源指示に従ってCQI情報をフィードバックすることを含むことを特徴とする方法。
【請求項９】
請求項1に記載の方法であって、
前記CQI情報は、
要求された帯域の変調・符号化方式を識別するための変調・符号化方式MCSと、
STAの推薦した符号化方式を識別するためのコーティングタイプと、
要求された帯域幅と空間ストリームにおける平均信号対干渉雑音比を識別するための信号対干渉雑音比SINRと、
フィードバックサブチャンネルの帯域幅と具体的な対応するサブチャンネル番号を識別するためのサブチャンネルマッピングと、いう情報のうちの一つまたは複数を含むことを特徴とする方法。
【請求項１０】
請求項9に記載の方法であって、
前記変調・符号化方式は、第1変調・符号化方式と第2変調・符号化方式に分けられることを特徴とする方法。
【請求項１１】
ネットワーク機器であって、
ダウンリンク探査チャンネルとチャンネル品質情報CQIフィードバック資源指示を送信するための送信ユニットと、
CQI情報を受信するための受信ユニットと、
前記CQI情報に応じて、ダウンリンクデータ伝送に適切な伝送モードを選出するための処理ユニットと、を含むことを特徴とするネットワーク機器。
【請求項１２】
請求項11に記載のネットワーク機器であって、
前記CQIフィードバック資源指示は、STAの標識IDと配分された資源指示を含むことを特徴とするネットワーク機器。
【請求項１３】
請求項12に記載のネットワーク機器であって、
上述の配分された資源指示は、シンボルオフセット、継続時間、サブチャンネルマッピング、CQI伝送モードという情報のうちの一つまたは複数を含み、
ただし、前記CQI伝送モードは、さらに、変調・符号化方式MCSと空間ストリーム数指示Nssとを含むことを特徴とするネットワーク機器。
【請求項１４】
請求項11に記載のネットワーク機器であって、
前記CQIフィードバック資源指示は、端末装置が前記CQI情報を周期的にフィードバックするように指示するためのフィードバック周期を含むことを特徴とするネットワーク機器。
【請求項１５】
請求項11に記載のネットワーク機器であって、
前記送信ユニットは、さらに、CQIフィードバック要求を送信し、端末装置がCQIフィードバック要求に応答するように指示し、前記CQI情報をフィードバックすることを特徴とするネットワーク機器。
【請求項１６】
請求項15に記載のネットワーク機器であって、
前記送信ユニットは、具体的に、前記CQIフィードバック要求をMAC層で探査フレームとしてバッケージして送信し、あるいは、具体的に、物理層におけるコントロールチャンネルで前記CQIフィードバック要求を指示することを特徴とするネットワーク機器。
【請求項１７】
請求項11に記載のネットワーク機器であって、
前記CQI情報は、
要求された帯域の変調・符号化方式を識別するための変調・符号化方式MCSと、
STAの推薦した符号化方式を識別するためのコーティングタイプと、
要求された帯域幅と空間ストリームにおける平均信号対干渉雑音比を識別するための信号対干渉雑音比SINRと、
フィードバックサブチャンネルの帯域幅と具体的な対応するサブチャンネル番号を識別するためのサブチャンネルマッピングと、いう情報のうちの一つまたは複数を含むことを特徴とするネットワーク機器。
【請求項１８】
請求項17に記載のネットワーク機器であって、
前記変調・符号化方式は、第1変調・符号化方式と第2変調・符号化方式に分けられることを特徴とするネットワーク機器。
【請求項１９】
端末装置であって、
ダウンリンク探査チャンネルとチャンネル品質情報CQIフィードバック資源指示を受信するための受信ユニットと、
前記ダウンリンク探査チャンネルに対して検出を行ってCQI情報を取得するための検出ユニットと、
フィードバック資源においてCQI情報をフィードバックするためのフィードバックユニットと、を含むことを特徴とする端末装置。
【請求項２０】
請求項19に記載の端末装置であって、
前記CQIフィードバック資源指示は、STAの標識IDと配分された資源指示を含むことを特徴とする端末装置。
【請求項２１】
請求項20に記載の端末装置であって、
上述の配分された資源指示は、具体的に、シンボルオフセット、継続時間、サブチャンネルマッピング、CQI伝送モードという情報のうちの一つまたは複数を含み、
ただし、前記CQI伝送モードは、変調・符号化方式MCSと空間ストリーム数指示Nssとを含むことを特徴とする端末装置。
【請求項２２】
請求項19に記載の端末装置であって、
前記CQIフィードバック資源指示は、端末装置が前記CQI情報を周期的にフィードバックするように指示するためのフィードバック周期を含み、
前記フィードバックユニットは、前記フィードバック周期に応じて時間を計算し、時間がフィードバック周期になると、CQI情報を直接にフィードバックすることを特徴とする端末装置。
【請求項２３】
請求項19に記載の端末装置であって、
前記受信ユニットは、さらに、CQIフィードバック要求を受信し、
前記フィードバックユニットは、前記CQIフィードバック要求に応答し、フィードバック資源において前記CQIフィードバック資源指示に応じてCQI情報をフィードバックすることを特徴とする端末装置。
【請求項２４】
請求項19に記載の端末装置であって、
前記CQI情報は、
要求された帯域の変調・符号化方式を識別するための変調・符号化方式MCSと、
STAの推薦した符号化方式を識別するためのコーティングタイプと、
要求された帯域幅と空間ストリームにおける平均信号対干渉雑音比を識別するための信号対干渉雑音比SINRと、
フィードバックサブチャンネルの帯域幅と具体的な対応するサブチャンネル番号を識別するためのサブチャンネルマッピングと、いう情報のうちの一つまたは複数を含むことを特徴とする端末装置。
【請求項２５】
請求項24に記載の端末装置であって、
前記変調・符号化方式は、第1変調・符号化方式と第2変調・符号化方式に分けられることを特徴とする端末装置。
【発明の詳細な説明】
【技術分野】
【０００１】
本発明は無線通信分野に属し、特にリンクアダプテーションを実現するための方法、ネットワーク機器及び端末装置に関するものである。
【背景技術】
【０００２】
無線通信技術の迅速な推進に従って、スペクトル資源の深刻な不足は、無線通信事業の発展の“ボトルネック”となっている。無線通信システムにとって、最も貴重なのはスペクトル資源であるので、有限なスペクトル資源の効率的開発・利用とスペクトルの利用効率の向上は、早急解決すべき課題となっている。
【０００３】
実際的な無線通信チャンネルは、経時減衰チャンネルであり、その性能（例えばスループット）が絶えずに変化するものである。従来の設計で固定の情報伝送パラメーター、例えばチャンネル符号化・変調方式及び送信出力を用いるので、明らかに経時変化チャンネルに適することができない。そのため、リンクアダプテーション技術を提供し、いわゆるリンクアダプテーション技術とは、無線通信システムで無線チャンネル環境の変化に応じて送信機と受信機のパラメーターを動的に調整するものである。例えば、送信出力、変調方式、コーティング速度、再送信回数、データフレームのサイズなど、無線チャンネル資源の利用を最大限にする。
【０００４】
チャンネル品質情報（CQI、Channel Quality Information）は、ダウンリンクあるいはアップリンク方向に、合理的なブロック誤り率の確保を前提に、推定の伝送ブロックを正しく受信出来るサイズ、変調方式、並行コードの個数などのチャンネル品質情報の指示である。端末では現在の無線受信環境を測定し、現状で許容可能な最大CQI値を予め推定し、基地局は端末のCQI提案によって適切なダウンリンクあるいはアップリンクチャンネル伝送フォーマットを選出し、リンクアダプテーションの調整を行い、そのうち、前記ダウンリンクあるいはアップリンクチャンネル伝送フォーマットは、伝送ブロックのサイズ、変調方式、並行コードの個数、参照となる出力の校正値などを含む。
【０００５】
これに関して、特許文献１には、セルラ通信ネットワークにおける干渉を減少させる装置であって、推定されたチャネル品質を示す測定値を受信する手段と、少なくとも第１のセル内の以後のＵＥのスケジューリングの情報に基づき、受信した推定チャネル品質の測定値を調節することによって以後の送信に対するチャネル品質を推定する手段と、以後の送信に対するチャネル品質の推定値に基づき送信電力レベルを含むリンクアダプテーション方式を選択する手段とを備えるものが開示されている。
【先行技術文献】
【特許文献】
【０００６】
【特許文献１】特表２０１１−５１７２０３
【発明の概要】
【発明が解決しようとする課題】
【０００７】
無線通信技術の快速な推進に伴って、リンクアダプテーションメカニズムを実現するための方法は従来より高く要求されている。
【０００８】
この点に鑑み、本発明の解決しようとする技術課題はリンクアダプテーションを実現するための新方法を提供することにある。本発明で開示される実施例のいくつかの面を基本的に理解するために、以下、簡単な概括を提供している。当該概括部分は一般的に論評するものでもなく、鍵／重要な構成元素を確定する、又はこれらの実施例の保護範囲を描くものでもない。その唯一の目的は、簡単な形式で概念を表して、以下の詳しい説明の基礎とすることにある。
【課題を解決するための手段】
【０００９】
前記技術課題を解決するために、本発明はチャンネル品質に基づいてフィードバックを指示してリンクアダプテーションを実現するための方法を提供し、当該方法は、ネットワーク機器は、指定の端末装置にダウンリンク探査チャンネルとチャンネル品質情報CQIフィードバック資源指示付きの物理フレームを送信することと、前記端末装置は、前記物理フレームを受信した後、前記ダウンリンク探査チャンネルによってチャンネル品質を推定し、配分された資源に従って前記ネットワーク機器にCQI情報をフィードバックすることと、前記ネットワーク機器は、各端末装置からフィードバックされたCQI情報を受信し、フィードバックされたCQI情報によって、端末装置に異なる物理層伝送パラメータをアダプティブに選出することと、を含む。
【００１０】
選択可能な実施例において、ネットワーク機器は、物理フレームのシステム情報チャンネルにダウンリング探査チャンネルを配置し、物理フレームのコントロールチャンネルで各端末装置にCQIフィードバック資源指示を配置する。
選択可能な実施例において、CQIフィードバック資源指示は、STA標識と、配分された時間周波数領域資源指示、フィードバックタイプ、フィードバック周期を含み、上述の配分された資源指示は、シンボルオフセット、継続時間、サブチャンネル指示、CQI伝送モードを含み、前記CQI伝送モードは、変調・符号化方式MCSと空間ストリーム数指示Nssとを含む。
【００１１】
選択可能な実施例において、端末装置は、フィードバック周期を計算し、フィードバック周期になると、前の周期で配分された資源指示を用い、ネットワーク機器にCQI情報を直接フィードバックする。
選択可能な実施例において、端末装置のフィードバックしたCQI情報はMAC層でバッケージされ、チャンネル品質フィードバックフレームが構成され、MACフレームヘッダー、フレーム本体及びFCSを含み、そのうち、フレーム本体部分は、各サブチャンネルのCQI情報を含む。
【００１２】
選択可能な実施例において、前記各サブチャンネルのCQI情報は、MCSと、空間ストリーム数と、コーティングタイプと、信号対雑音比SNR又は信号対干渉雑音比SINRと、を含む。
選択可能な実施例において、前記各サブチャンネルのCQI情報は、MCSと、コーティングタイプと、信号対雑音比SNR又は信号対干渉雑音比SINRと、を含む。
【００１３】
上述の技術課題を解決するために、本発明は、さらに、チャンネル品質指示フィードバックに基づいてリンクアダプテーションを実現する無線通信システムを提供する。当該無線通信システムは、指定の端末装置にダウンリンク探査チャンネルとCQIフィードバック資源指示付きの物理フレームを送信するためのネットワーク機器と、物理フレームを受信した後、ダウンリンク探査チャンネルによってチャンネル品質を推定し、配分された資源に従ってネットワーク機器にCQI情報をフィードバックする端末装置と、を含む。ネットワーク機器は、各端末装置からフィードバックされたCQI情報を受信した後、上層業務情報と合わせて、フィードバックされたCQI情報によって、後続の端末装置のダウンリンクスケジューリングにおいてその伝送パラメータを確定し、相応の端末装置にデータを送信する。
【００１４】
前記技術課題を解決するために、本発明は、さらに、チャンネル品質指示フィードバックに基づいてリンクアダプテーションを実現するための方法を提供し、当該方法は、ダウンリンク探査チャンネルとチャンネル品質情報CQIフィードバック資源指示を送信するステップと、CQI情報を受信し、前記CQI情報によって、ダウンリンクデータ伝送に適切な伝送モードを選出するステップと、を含む。
【００１５】
選択可能な実施例において、前記CQIフィードバック資源指示は、STAの標識IDと配分された資源指示を含む。
選択可能な実施例において、上述の配分された資源指示は、具体的に、シンボルオフセット、継続時間、サブチャンネルマッピング、CQI伝送モードという情報のうちの一つまたは複数を含み、ただし、前記CQI伝送モードは、変調・符号化方式MCSと空間ストリーム数指示Nssとを含む。
【００１６】
選択可能な実施例において、さらに、前記端末装置は、前記フィードバック周期によって時間を計算し、時間がフィードバック周期になると、CQI情報を直接フィードバックすることを含む。
選択可能な実施例において、端末装置が前記CQI情報をフィードバックするように指示するためのCQIフィードバック要求を送信することを含む。
前記CQIフィードバック要求をMAC層で探査フレームとしてパッケージして送信し、或いは、物理層におけるコントロールチャンネルで前記CQIフィードバック要求を指示する。
【００１７】
選択可能な実施例において、さらに、前記端末装置は、前記CQIフィードバック要求に応答し、フィードバック資源においてCQIフィードバック資源指示に従ってCQI情報をフィードバックすることを含む。
選択可能な実施例において、前記CQI情報は、要求された帯域の変調・符号化方式を識別するための変調・符号化方式MCSと、STAの推薦した符号化方式を識別するためのコーティングタイプと、要求された帯域幅と空間ストリームにおける平均信号対雑音比を識別するための信号対雑音比SNRと、フィードバックサブチャンネルの帯域幅と具体的な対応するサブチャンネル番号を識別するためのサブチャンネルマッピングと、いう情報のうちの一つまたは複数を含む。
【００１８】
選択可能な実施例において、前記CQI情報は、要求された帯域の変調・符号化方式を識別するための変調・符号化方式MCSと、STAの推薦した符号化方式を識別するためのコーティングタイプと、要求された帯域幅と空間ストリームにおける平均信号対干渉雑音比を識別するための信号対干渉雑音比SINRと、フィードバックサブチャンネルの帯域幅と具体的な対応するサブチャンネル番号を識別するためのサブチャンネルマッピングと、いう情報のうちの一つまたは複数を含む。
選択可能な実施例において、当該変調・符号化方式は、第1変調・符号化方式と第2変調・符号化方式に分けられる。
【００１９】
前記技術課題を解決するために、本発明は、さらに、ネットワーク機器を提供し、当該ネットワーク機器は、ダウンリンク探査チャンネルとチャンネル品質情報CQIフィードバック資源指示を送信するための送信ユニットと、CQI情報を受信するための受信ユニットと、前記CQI情報に応じて、ダウンリンクデータ伝送に適切な伝送モードを選出するための処理ユニットと、を含む。
【００２０】
選択可能な実施例において、前記CQIフィードバック資源指示は、STAの標識IDと配分された資源指示を含む。
選択可能な実施例において、上述の配分された資源指示は、具体的に、シンボルオフセット、継続時間、サブチャンネルマッピング、CQI伝送モードという情報のうちの一つまたは複数を含み、ただし、前記CQI伝送モードは、さらに、変調・符号化方式MCSと空間ストリーム数指示Nssとを含む。
【００２１】
選択可能な実施例において、前記CQIフィードバック資源指示は、端末装置が前記CQI情報を周期的にフィードバックするように指示するためのフィードバック周期を含む。
選択可能な実施例において、前記送信ユニットは、さらに、CQIフィードバック要求を送信し、端末装置がCQIフィードバック要求に応答するように指示し、前記CQI情報をフィードバックする。
【００２２】
選択可能な実施例において、前記送信ユニットは、具体的に、前記CQIフィードバック要求をMAC層で探査フレームとしてバッケージして送信し、あるいは、具体的に、物理層におけるコントロールチャンネルで前記CQIフィードバック要求を指示する。
選択可能な実施例において、前記CQI情報は、要求された帯域の変調・符号化方式を識別するための変調・符号化方式MCSと、STAの推薦した符号化方式を識別するためのコーティングタイプと、要求された帯域幅と空間ストリームにおける平均信号対雑音比を識別するための信号対雑音比SNRと、フィードバックサブチャンネルの帯域幅と具体的な対応するサブチャンネル番号を識別するためのサブチャンネルマッピングと、いう情報のうちの一つまたは複数を含む。
【００２３】
選択可能な実施例において、前記CQI情報は、要求された帯域の変調・符号化方式を識別するための変調・符号化方式MCSと、STAの推薦した符号化方式を識別するためのコーティングタイプと、要求された帯域幅と空間ストリームにおける平均信号対干渉雑音比を識別するための信号対干渉雑音比SINRと、フィードバックサブチャンネルの帯域幅と具体的な対応するサブチャンネル番号を識別するためのサブチャンネルマッピングと、いう情報のうちの一つまたは複数を含む。
選択可能な実施例において、当該変調・符号化方式は、第1変調・符号化方式と第2変調・符号化方式に分けられる。
【００２４】
前記技術課題を解決するために、本発明は、さらに、端末装置を提供し、当該端末装置は、ダウンリンク探査チャンネルとチャンネル品質情報CQIフィードバック資源指示を受信するための受信ユニットと、前記ダウンリンク探査チャンネルに対して検出を行ってCQI情報を取得するための検出ユニットと、フィードバック資源においてCQI情報をフィードバックするためのフィードバックユニットと、を含む。
【００２５】
選択可能な実施例において、前記CQIフィードバック資源指示は、STAの標識IDと配分された資源指示を含む。
選択可能な実施例において、上述の配分された資源指示は、具体的に、シンボルオフセット、継続時間、サブチャンネルマッピング、CQI伝送モードという情報のうちの一つまたは複数を含み、ただし、前記CQI伝送モードは、変調・符号化方式MCSと空間ストリーム数指示Nssとを含む。
【００２６】
選択可能な実施例において、前記CQIフィードバック資源指示は、端末装置が前記CQI情報を周期的にフィードバックするように指示するためのフィードバック周期を含み、前記フィードバックユニットは、前記フィードバック周期に応じて時間を計算し、時間がフィードバック周期になると、CQI情報を直接にフィードバックする。
選択可能な実施例において、前記受信ユニットは、さらに、CQIフィードバック要求を受信し、選択可能な実施例において、前記フィードバックユニットは、前記CQIフィードバック要求に応答し、フィードバック資源において前記CQIフィードバック資源指示に応じてCQI情報をフィードバックする。
【００２７】
選択可能な実施例において、前記CQI情報は、要求された帯域の変調・符号化方式を識別するための変調・符号化方式MCSと、STAの推薦した符号化方式を識別するためのコーティングタイプと、要求された帯域幅と空間ストリームにおける平均信号対雑音比を識別するための信号対雑音比SNRと、フィードバックサブチャンネルの帯域幅と具体的な対応するサブチャンネル番号を識別するためのサブチャンネルマッピングと、いう情報のうちの一つまたは複数を含む。
【００２８】
選択可能な実施例において、前記CQI情報は、要求された帯域の変調・符号化方式を識別するための変調・符号化方式MCSと、STAの推薦した符号化方式を識別するためのコーティングタイプと、要求された帯域幅と空間ストリームにおける平均信号対干渉雑音比を識別するための信号対干渉雑音比SINRと、フィードバックサブチャンネルの帯域幅と具体的な対応するサブチャンネル番号を識別するためのサブチャンネルマッピングと、いう情報のうちの一つまたは複数を含む。
選択可能な実施例において、当該変調・符号化方式は、第1変調・符号化方式と第2変調・符号化方式に分けられる。
【００２９】
上記及び関連の目的を実現するために、1つ又は複数の実施例において、後で詳しく説明し且つ特許請求の範囲で特に指摘する特徴を含んでいる。以下の説明、図面は示例的な面を詳しく説明し、且つ以下の説明、図面に記載されているものは各実施例の原則的に利用可能な各種方式における一部の方式のみである。その他の利点及び新規性特徴は下記の詳しい説明に連れて、図面を結合して考慮すると明確になり、開示された実施例は、これらの面及びそれらの同等を全て含むものである。
【発明の効果】
【００３０】
上述のように、本発明の提供するダウンリンクアダプテーションを実現する技術案では、周期的フィードバック・メカニズムを使用し、シグナリングによる負荷を減らすことによって、システム資源を節約することになる。要求フィードバック・メカニズムを使用することで、CAPは一つまたは複数のSTAが行うCQIフィードバックに対する配置と管理を行うことを実現でき、なるべく資源の配置を最適化し、システム効率を向上させ、CAPはチャンネル資源を統一して計画案配することを実現し、ユーザが更に空間資源で多重化を行うことができ、これによって、スペクトルの利用率を向上させる。以上、本発明の技術案を使用することで、スペクトル資源をアダプティブにスケジューリングし、スペクトルの利用率とシステム性能を高めることができる。
【図面の簡単な説明】
【００３１】
【図１】本発明実施例1で提供されるリンクアダプテーションを実現するための方法の流れの模式図である。
【図２】本発明実施例2で提供される周期的フィードバック・メカニズムに基づくダウンリンク・リンクアダプテーションを実現する方法の物理フレーム配置のフレーム構成の模式図である。
【図３】本発明実施例2で提供されるチャンネル品質情報フィードバックフレームの構造の模式図である。
【図４】本発明実施例2で提供される特定場面におけるチャンネル品質情報フィードバックフレームの構造模式図である。
【図５】本発明実施例2で提供される特定場面におけるチャンネル品質情報フィードバックフレームの構造模式図である。
【図６】本発明実施例2で提供されるチャンネル品質情報フィードバックフレームのフレーム本体部分の模式図である。
【図７】本発明実施例2で提供されるチャンネル品質フィードバックフレームのフレーム本体部分の模式図である。
【図８】本発明実施例2で提供されるチャンネル品質フィードバックフレームのフレーム本体部分の模式図である。
【図９】本発明実施例2で提供される周期的フィードバック・メカニズムに基づくダウンリンク・リンクアダプテーションを実現する方法の流れの模式図である。
【図１０】本発明実施例2で提供されるネットワーク機器の構造模式図である。
【図１１】本発明実施例2で提供される端末装置の構造模式図である。
【図１２】本発明実施例3で提供される要求-応答フィードバック・メカニズムに基づくダウンリンク・リンクアダプテーションの物理フレーム配置のフレーム構造の模式図である。
【図１３】本発明実施例3で提供される要求-応答フィードバック・メカニズムに基づくダウンリンク・リンクアダプテーションを実現する方法の流れの模式図である。
【図１４】本発明実施例3で提供されるネットワーク機器の構造模式図である。
【図１５】本発明実施例3で提供される端末装置の構造模式図である。
【図１６】本発明実施例4で提供されるCQIフィードバック要求付きのチャンネル探査フレームの構造模式図である。
【図１７】本発明実施例4で提供される要求-応答フィードバック・メカニズムに基づくダウンリンク・リンクアダプテーションの物理フレーム配置のフレーム構造の模式図である。
【発明を実施するための形態】
【００３２】
当業者が本発明の具体的な実施方式を実施できるように、以下の記述及び図面はそれらを十分に示している。その他の実施方式は構成、論理、電気、過程及びその他の変更を含むことができる。実施例は可能な変更のみを代表している。明確な要求を除いて、単独な部品及び機能は選択でき、且つ操作の順は変更できる。一部の実施案の部分及び特徴はその他の実施案の部分及び特徴に含まれる、又は交替される。本発明の実施案の範囲は、特許請求の範囲の全部範囲、及び特許請求の範囲の全ての取得できる等同物を含む。本文において、本発明のこれらの実施案は、単独的又は総括的に「発明」という用語により表される。これは、便利にするために過ぎない。そして、事実上、1個以上の発明が公開されても、該応用の範囲が任意の単独な発明又は発明構想に自動的に規制するものではない。
【００３３】
従来の技術の短所に鑑み、本発明は、アップリンク・リンクアダプテーションを実現する方法を提供し、スペクトル資源利用率とシステム性能を高めることができる。
【００３４】
リンクアダプテーションは、他のメカニズム、例えばビーム整形とマルチユーザMU-MIMOなどのメカニズムと分けられないのである。いずれもチャンネルの変動に適応してリンクとシステム・キャパシティを向上するために使用されるアダプテーション技術であり、それらは一部のフィードバック結果を共有することができ、あるいは応答側でフィードバック結果を計算でき、同時に考慮する必要がある。本発明はチャンネル品質情報フィードバックに基づくリンクアダプテーションの実現方法のみを考慮している。
【００３５】
本発明でいうネットワーク機器、例えばアクセスポイントAP、中心アクセスポイントCAPあるいは基地局あるいは他のネットワーク機器、本発明でいう端末装置、例えばユーザサイトSTA、端末あるいは他の端末装置については、以下、ネットワーク機器をCAPとし、端末装置をSTAとする例を挙げて説明を行うが、CAPとSTAに限るものではない。
【００３６】
本発明において、中短距離の無線通信システムに対し、リンクアダプテーションメカニズムはダウンリンク・リンクアダプテーションとアップリンク・リンクアダプテーションを含む。そのうち、ダウンリンク・リンクアダプテーションとはCAPからSTAへの方向におけるリンクアダプテーションを指す。アップリンク・リンクアダプテーションとはSTAからCAPへの方向におけるリンクアダプテーションを指す。
【００３７】
1.ダウンリンク・リンクアダプテーション
中短距離の無線通信システムでは、ダウンリンクデータ伝送はリンクアダプテーションメカニズムをサポートする。CAPはSTAからフィードバックされるCQI情報に応じて、STAに異なる物理層伝送パラメーターをアダプティブに選出して、当該パラメーターはMIMO動作モード、スペースストリーム数、コーディング変調方式MCS、送信出力などを含む。
【００３８】
ダウンリンク・リンクアダプテーションのサポート可能なフィードバック・メカニズムは以下の3種を含み、すなわち、周期的フィードバック・メカニズム、要求-応答に基づくフィードバック・メカニズム、自発応答のフィードバック・メカニズムを含む。
本発明では、主に、周期的フィードバック・メカニズム、要求-応答に基づくフィードバック・メカニズムについて詳しく説明する。
【実施例１】
【００３９】
図1を参照し、本発明実施例1はダウンリンク・リンクアダプテーションを実現するための方法を提供し、当該方法は、以下の手順S101〜S103を含む。
手順S101では、CAPは各STAにダウンリンク探査チャンネルとCQIフィードバック資源指示を送信する。
手順S102では、STAはCQIフィードバック要求に応答し、フィードバック資源においてCQIフィードバック資源指示に従って、CQI情報をフィードバックする。
手順S103では、CAPは各STAからフィードバックされたCQI情報を受信し、フィードバックされたCQI情報によって、ダウンリンクデータ伝送のために適切な伝送モードを選出する。
【実施例２】
【００４０】
図1を参照し、本発明実施例2はダウンリンク・リンクアダプテーションを実現するための方法を提供し、当該方法は、周期的フィードバック・メカニズムを使用し、以下の手順S101〜S103を含み：
手順S101では、CAPは各STAにダウンリンク探査チャンネルとCQIフィードバック資源指示を送信する。
【００４１】
ダウンリンク探査チャンネルとCQIフィードバック資源指示が、物理フレームの中にパッケージされて送信できるのは、好ましい。
CQIフィードバック資源指示とは、STAがCQI情報を周期的にフィードバックするように指示するためのフィードバック周期を含むのが好ましい。
いわゆる周期的フィードバック・メカニズムはCAPがCQIフィードバック要求を送信する必要がなく、CAPは、物理層におけるコントロールチャンネルでSTAがアップリンクチャンネルフィードバックを行うための資源を周期的に配分する。そこで、手順S101の前に、CAPが予め以下の準備を行うのは、好ましい。
【００４２】
CAPは、物理フレームのシステム情報チャンネルにダウンリンク探査信号の送信のためのダウンリンク探査チャンネルを配置し、これにより、STAはダウンリンクチャンネル測定を完成し、CQI情報を取得する。
CAPは、物理フレームのコントロールチャンネルの中で、STAにSTAがアップリンクチャンネルフィードバックを行うための資源を周期的に配分し、具体的に、コントロールチャンネルにCQIフィードバック資源指示を配置することで実現する。
【００４３】
CQIフィードバック資源指示の情報は、各STAの識別ID（STAID）と配分された資源指示とを含むのが好ましい。そのうち、配分された資源指示情報は、具体的に、ユーザ資源ブロックの開始OFDMシンボルを指示するためのシンボルオフセットと、ユーザ資源ブロックの連続OFDMシンボル数を指示するための継続時間と、BitMapでCQIフィードバックサブチャンネルを指示するためのサブチャンネルマッピングと、変調・符号化方式（MCS）と空間ストリーム数指示（Nss）を含むCQI伝送モードという情報の1つまたは複数を含む。
CQIフィードバック資源指示は、STAID、配分された資源指示及びフィードバック周期を含むのは、好ましい。
【００４４】
周期的な資源配分について、シグナリングによる負荷を減らすために、同一のSTAに対し、CAPは毎回コントロールチャンネルにCQIフィードバック資源指示を配置する必要がなく、CQIフィードバック資源指示付きの物理フレームを1つのみ送信することで、STA資源配分とフィードバック週期などの情報をワンタイムで通知する。STAは最新受信した、配分された資源指示とフィードバック周期とを保存して、その後、CAPの送信する若干のフレームにCQIフィードバック資源指示を付くのは不要である。STAが時間を計算し、時間が最新保存した当該フィードバック周期になると、自動的に、フィードバック資源に最新保存したCQIフィードバック資源指示を利用してCAPにCQI情報を直接フィードバックすることができます。例えば、図2の物理フレーム配置のフレーム構造模式図に示すように、1つ前のフィードバック周期において（図2における物理フレームＮ）、CAPはSTA1、STA2、STA3にCQIフィードバック資源とフィードバック周期を配分した場合、次のフィードバック周期になる時（図2における物理フレームN＋フィードバック周期）、STA1、STA2、STA3に対してフィードバック周期を計算し、また、前記CQIフィードバック資源指示を利用し、直接にアップリンク・サブフレームの指定位置でCQI情報を伝送することができ、CAPは各STAにCQIフィードバック資源とフィードバック周期を改めて配分する必要はない。
【００４５】
手順S102では、STAがCQIフィードバック要求に応答し、フィードバック資源においてCQIフィードバック資源指示に従ってCQI情報をフィードバックする。
【００４６】
STAはCAPが送信したダウンリンク探査チャンネルとチャンネル品質情報CQIフィードバック資源指示を受信し、ダウンリンク探査チャンネルに対して探査を行って、CQI情報を取得し、フィードバック資源においてCQIフィードバック資源指示に応じてネットワーク機器に当該CQI情報を周期的にフィードバックし、具体的に、STAはフィードバック周期に応じて時間を計算し、時間がフィードバック周期になると、フィードバック資源においてCQIフィードバック資源指示に応じてネットワーク機器にCQI情報を周期的に直接フィードバックするのは、好ましい。
【００４７】
CQI情報をMACフレームとしてパッケージし、チャンネル品質情報CQIのフィードバックフレームを構成するのは、好ましい。CQIフィードバックフレームは、MACフレームヘッダーと、フレーム本体と、FCSとを含み、そのうち、フレーム本体部分の情報は、フィードバックタイプ指示に応じて各動作帯域幅のCQI情報をフィードバックすることができる。図2に示すように、サブチャンネル1乃至サブチャンネル4における全CQI情報について、STAではチャンネルのよい1つまたは2つのサブチャンネルのCQI情報をフィードバックしてもよいのは、好ましい。そのうち、CQI情報は、変調・符号化方式（MCS、Modulation and Coding Scheme）、スペースタイムストリーム数（Nss）、コーティングタイプ（LDPC/BCC）、SN比（つまり、信号雑音比）（SNR、Signal
To Noise Ratio）または信号対干渉雑音比（SINR、Signal To Interference Noise Ratio）という情報の1つまたは複数を含むことができる。
【００４８】
例えば、図 3に示すように、CQI情報は、変調・符号化方式（MCS）、空間ストリーム数（Nss）、コーティングタイプ（LDPC/BCC）、SN比（SNR）（あるいは信号対干渉雑音比（SINR））を含むのは、好ましい。
【００４９】
例えば、図4に示すように、CQI情報は、MCS、コーティングタイプ、SNR（あるいはSINR）を含み、変調・符号化方式（MCS）に空間ストリーム数（Nss）を含むのは、好ましい。そのうち、MCSは要求された帯域の変調・符号化方式を識別するためのものである。コーティングタイプは端末の推薦したコーティング方式を識別するためのものである。SNRは、要求されたチャンネルの各空間ストリームにおける平均信号雑音比を識別するためのものである。SINRは要求されたチャンネルの各空間ストリームにおける平均信号あるいは信号対干渉雑音比を識別するためのものである。
【００５０】
例えば、図5に示すように、CQI情報はさらに、フィードバックサブチャンネルの帯域幅と具体的な対応するサブチャンネル番号を識別するためのサブチャンネルマッピングを含むことができるのは、好ましい。
【００５１】
システムが8つの空間ストリーム伝送をサポートでき、1つのMCSは最大で4つの空間ストリーム伝送をサポート可能であれば、MCSが2つ必要であり、図6に示すように、MCSを2つに分けてもよく、即ち、チャンネルコードワード1を要求するMCSを示す第1変調・符号化方式MCS1と、チャンネルコードワード2を要求するMCSを示す第2変調・符号化方式MCS2という2つに分けられてもよいのは、好ましい。CQI情報は、サブチャンネルマッピング、MCS1、MCS2、コーティングタイプ、SINRを含むのは、好ましい。このCQI情報の内容は、表1に示すようである。
【００５２】
【表１】
2014509806.tif 000003
【００５３】
システムは20MHzで動作する場合、チャンネル品質フィードバックフレームのフレーム本体部分は、図4あるいは5あるいは6に示すようである。
システムは40MHz重合モード1で動作する場合、チャンネル品質フィードバックフレームのフレーム本体部分は、図7に示すようである。
システムは80MHz重合モード1で動作する場合、CQI_FBフレーム本体部分は、図8に示すようである。
【００５４】
システムは40MHz重合モード2で動作する場合、CQI_FBフレーム本体部分は、図6に示すようである。
80MHzシステムは連続の40MHzで動作する場合、CQI_FBフレーム本体部分は、図7に示すようである。
システムは連続の80MHzで動作する場合、CQI_FBフレーム本体部分は、図6に示すようである。
【００５５】
上述の重合モードについて、以下、詳しく説明する。
スペクトル重合
この部分は20MHzを基本チャンネル帯域幅として、スペクトル重合を通じて40MHzと80MHzスペクトル連続あるいは非連続帯域幅をサポートできる。
重合モード1：各20MHzサブチャンネルが独立チャンネルであり、20MHz、40MHz、80MHz
STAを1つあるいは複数の20MHzサブチャンネルにスケジューリングさせて独立伝送することができる。
重合モード2：複数の連続の20MHzサブチャンネル重合であり、40MHzと80MHz STAは重合チャンネルで周波数領域連続伝送することができる。
20MHz STAは、重合モード1のみ選択可能であり、40MHzと80MHz STAは、重合モード1または2を選択できる。
【００５６】
図2は本発明実施例2で提供される周期的フィードバック・メカニズムに基づくダウンリンク・リンクアダプテーションを実現するための方法の物理フレーム配置のフレーム構造模式図である。図2に示すように、CAPは予め物理フレームのシステム情報チャンネルにおいてダウンリンク探査チャンネルを配置し、物理フレームのコントロールチャンネルにおいてチャンネル品質フィードバックの要求されたSTA（STA1、STA2、STA3）にCQI伝送の資源を配分し、具体的に、コントロールチャンネルにおいてCQIフィードバック資源指示を配置することで実現する。STA1、STA2、STA3は受信した物理フレームのダウンリンク探査チャンネルに応じて、チャンネル情報を計算・推定し、CQIフィードバック資源指示に応じて、本フレームのアップリンクサブフレームの相応な位置でCQI情報を周期的に伝送する。
【００５７】
手順S103において、CAPが各STAからフィードバックされたCQI情報を受信し、フィードバックされたCQI情報に応じてダウンリンクデータ伝送に適切な伝送モードを選出する。
CAPが各STAからフィードバックされたCQI情報を受信した後、業務優先順位、QoSなどのパラメータを含む上層業務情報と合わせて、各STA業務に対するスケジューリングを確定し、フィードバックされたCQI情報によって、後続のSTA1、STA2、STA3のダウンリンクスケジューリングにおいてその伝送パラメータを確定し、相応のSTAにデータを送信する。
【００５８】
本実施列2で提供する方法は図9で表すことができる。図9に示すように、当該方法は、
CAPは物理フレームのシステム情報チャンネルSICHにダウンリンク探査チャンネルを配置し、物理フレームのコントロールチャンネルUL−CCHでCQIフィードバックに資源を配分する手順S201と、
STAはアップリンクサブフレームでCQIフィードバックを行う手順S202と、
CAPはフィードバック情報に応じて、伝送モードを選定する手順S203と、；
CAPとSTAの間でアップリンク・ダウンリンクデータ伝送を行う手順S204と、；
STAは時間を計算し、フィードバック周期になると、STAはアップリンクサブフレームでCQIフィードバックを行う手順S205と、を含む。
【００５９】
手順S204の後、シグナリングによる負荷を減らすために、同一のSTAに対し、CAPは毎回もコントロールチャンネルでCQIフィードバック資源指示を配置する必要はなく、手順S201を通じて、ワンタイムで資源配分とフィードバック周期等の情報を配置し、STAに通知し、STAは最新受信した、配分された資源指示とフィードバック周期を保存し、その後、CAPは送信する若干のフレームにCQIフィードバック資源指示を付く必要ないのは、好ましい。STAは時間を計算し、時間が当該最新保存したフィードバック周期になると、当該STAは自動的にフィードバック資源において最新保存したCQIフィードバック資源指示を用い、アップリンクサブフレームの指定位置でCQI情報を直接伝送し、すなわち手順S205となる。
【００６０】
手順S205の後、さらに、CAPはフィードバック情報に応じて、伝送モードを選定し、CAPとSTAの間でアップリンクダウンリンクデータ伝送を行う手順Aを含むのは、好ましい。
手順S205の後、さらに、CAPとSTAの間でアップリンクダウンリンクデータ伝送を行う手順Bを含むのは、好ましい。この場合、CAPは伝送モードを改めて選定せず、手順S203の配置をデフォルトとする。
手順AあるいはBの後、続けて手順を繰り返し、フィードバック周期になると、STAはアップリンクサブフレームでCQIフィードバックを行うのは、好ましい。
これによって類推する。
【００６１】
上述のリンクアダプテーションを実現するための方法を実現するために、本発明実施例2ではさらにネットワーク機器を提供する。図10に示すように、当該ネットワーク機器は、
端末装置にダウンリンク探査チャンネルとチャンネル品質情報CQIフィードバック資源指示を送信するための送信ユニット11と、
各端末装置からフィードバックされたCQI情報を受信するための受信ユニット12と、
フィードバックされたCQI情報に応じて、ダウンリンクデータ伝送のために適切な伝送モードを選出する処理ユニット13と、を含む。
【００６２】
上述のリンクアダプテーションを実現する方法を実現するために、本発明実施例2ではさらに端末装置を提供する。図11に示すように、当該端末装置は、
ダウンリンク探査チャンネルとCQIフィードバック資源指示を受信するための受信ユニット21と、
ダウンリンク探査チャンネルに検出を行ってCQI情報を取得するための探査ユニット22と、
フィードバック資源において当該CQI情報をフィードバックするためのフィードバックユニット23と、を含む。フィードバック資源においてCQIフィードバック資源指示に応じてネットワーク機器に当該CQI情報を周期的にフィードバックするのは、好ましい。
【００６３】
CQIフィードバック資源指示は、端末の標識と、配分された資源指示と、フィードバック周期という情報を少なくとも含むのは、好ましい。フィードバックユニット23はフィードバック周期に応じて時間を計算し、もし時間がフィードバック周期になると、CQI情報を直接フィードバックする。
上述のリンクアダプテーションを実現するための方法を実現するために、本発明実施例2では、さらに、リンクアダプテーションを実現するためのシステムを提供する。当該システムは本実施例2で提供されるネットワーク機器と端末装置を含む。
【００６４】
本発明実施例2で提供されるリンクアダプテーションを実現するためのシステム、ネットワーク機器、端末装置について、その動作原理および関係操作の流れは上述の周期的フィードバック・メカニズムに基づいてダウンリンク・リンクアダプテーションを実現する方法の実施案の場合とほぼ同じなので、ここで贅言しない。
以上の説明により、本発明実施例2で提供される周期的フィードバック・メカニズムを利用することで、シグナリングによる負荷を減らし、これにより、システム資源を節約して、スペクトルの利用率を高め、スペクトル資源をアダプティブにスケジューリングしてスペクトルの利用率とシステム性能を向上させることができる。
【実施例３】
【００６５】
図1を参照し、本発明の実施例3はダウンリンク・リンクアダプテーションを実現するための方法を提供し、要求―応答フィードバック・メカニズムを使用し、以下の手順S101〜103を主に含む：
手順S101では、CAPは各STAにダウンリンク探査チャンネルとCQIフィードバック資源指示を送信する。
【００６６】
ダウンリンク探査チャンネルとCQIフィードバック資源指示を送信する前に、STAがCQI情報をフィードバックするように指示するためのCQIフィードバック要求を送信するのは、好ましい。
ダウンリンク探査チャンネルとCQIフィードバック資源指示を送信した後、CQIフィードバック要求も送信するのは、好ましい。
ダウンリンク探査チャンネルとCQIフィードバック資源指示の送信と同時にCQIフィードバック要求をともに送信するのは、好ましい。
ダウンリンク探査チャンネル、チャンネル品質情報CQIフィードバック要求、CQIフィードバック資源指示は物理フレームにパッケージして送信するのは、好ましい。
【００６７】
図12で示すように、当該CQIフィードバック要求は物理フレームのコントロールチャンネルを通じて指示を行うのは、好ましい。
手順S201の前に、CAPは予め以下の準備をしてもよい。
CAPは予めて物理フレームのシステム情報チャンネルにおいてダウンリンク探査信号を送信するためのダウンリンク探査チャンネルを配置することで、STAはダウンリンクチャンネル探査の物理チャンネルを完成し、CQI情報を取得する。
CAPは予めてコントロールチャンネルにおいてCQIフィードバック要求とCQIフィードバック資源指示を配置する。
そのうち、システム情報フィールドの定義は表2及び表3に示すようである。
【００６８】
【表２】
2014509806.tif 000004
【００６９】
【表３】
2014509806.tif 000005
【００７０】
表2及び表3に示すように、b64でダウンリンク探査チャンネルを配置し、そのうち、0はダウンリンク探査チャンネルなしを示し、1はダウンリンク探査チャンネル配置を示す。
CAPはコントロールチャンネルで各STAにCQI伝送の資源を配分し、具体的にはコントロールチャンネルにCQIフィードバック資源指示を配置することで実現する。当該CQIフィードバック資源指示は、具体的に、ユーザ資源ブロックの開始OFDMシンボルを指示するシンボルオフセットと、ユーザ資源ブロック連続OFDMシンボル数を指示する継続時間とを含む。
コントロールチャンネルフィールドの定義は、表4及び表5に示すようである。
【００７１】
【表４】
2014509806.tif 000006
【００７２】
【表５】
2014509806.tif 000007
【００７３】
表4及び表5に示すように、b16b15…b8位で、シンボルオフセットすなわちユーザ資源ブロック開始OFDMシンボルを指示し、b32b31…b24位で、継続時間すなわちユーザ資源ブロック連続OFDMシンボル数を指示する。
そのうち、コントロールチャンネルでCQIフィードバック要求を指示し、具体的にはb40=1位でCQIフィードバック要求の指示を行う。
要求―応答に基づくフィードバック・メカニズムは、CAPが具体的なシーンによって自発的にCQIフィードバック要求を送信することを指すのは、好ましい。      
【００７４】
CAPはCQIフィードバック要求の開始を決定すると、コントロールチャンネルでCQIフィードバック要求を指示し、同時、コントロールチャンネルにおいてCQIフィードバックの要求されたSTAに相応なCQI伝送資源を配分し、コントロールチャンネルにはSTAに配分したCQIフィードバック資源指示情報を同時に複数含むことができ、この情報はSTA標識（STAID）と配分された資源指示などの指示情報を含み、そのうち、配分された資源指示は、具体的に、シンボルオフセットと、継続時間と、サブチャンネル指示とを含む。配分された資源指示は、さらに、CQI伝送モードを含み、そのうち、CQI伝送モードは具体的に変調・符号化方式（MCS）と空間ストリーム数指示（Nｓｓ）を含むのは、好ましい。
【００７５】
ステップS102、STAはCQIフィードバック要求をに応答し、フィードバック資源においてCQIフィードバック資源指示に従ってCQI情報をフィードバックする。
STAはダウンリンク探査チャンネルに検出を行ってCQI情報を取得し、また、CQIフィードバック要求に応答し、フィードバック資源においてCQIフィードバック要求の指示に応じてフィードバックを行うのは、好ましい。
フィードバック資源はCAPにより指定された資源であり、STAは指定された資源においてCQI情報をフィードバックするのは、好ましい。
【００７６】
いわゆる指定された資源は、アップリンクコントロールチャンネルでアップリンク伝送チャンネルにおける特定のあるいくつかのOFDMシンボルを指定し、フィードバックのチャンネル情報を送信するためのものである。CAPはコントロールチャンネルのb16b15…b8位とb32b31…b24位でユーザ資源ブロック開始OFDMシンボルとユーザ資源ブロック連続OFDMシンボル数を指定したので、STAは当該指定された資源でチャンネル情報のフィードバックを行う。故に、アップリンクコントロールチャンネルでフィードバック資源を配分することは、具体的に、アップリンクコントロールチャンネルでユーザ資源ブロック開始OFDMシンボルとユーザ資源ブロック連続OFDMシンボル数を指示することで実現される。
【００７７】
フィードバックされたCQI情報については、具体的な説明が実施例1の場合と同じなので、ここで贅言しない。
手順S103、CAPは各STAからフィードバックされたCQI情報を受信し、フィードバックされたCQI情報によって、ダウンリンクデータ伝送に適切な伝送モードを選出する。
CAPは各STAからフィードバックされたCQI情報を受信した後、業務優先順位、Qosなどのパラメータを含む上層業務情報と合わせて、各STA業務のスケジューリングを確定し、ダウンリンクデータ伝送に適切な伝送モードを選出し、相応な物理層伝送パラメータを配分し、ダウンリンクデータ伝送を行う。
【００７８】
本実施例三の提供する方法は、図13の形態で表現してもよい。図13に示すように、当該方法は、
CAPはSICHにおいてダウンリンク探査チャンネルを配置し、UL-CCHにおいてCQI伝送資源を配分する手順S301と、
STAは指定の資源でCQIをフィードバックする手順S302と、
CAPはCQIフィードバックに応じて、ダウンリンクデータ伝送に適切な伝送モードを選出する手順S303と、を含む。
【００７９】
上述のリンクアダプテーションを実現するための方法を実現するために、本発明実施例3では、さらに、ネットワーク機器を提供し、図14に示すように、当該ネットワーク機器は、
端末装置にダウンリンク探査チャンネルとCQIフィードバック資源指示とを送信するための発送ユニット31と、
端末装置からフィードバックされたCQI情報を受信するための受信ユニット32と、
フィードバックされたCQI情報に応じてダウンリンクデータ伝送に適切な伝送モードを選出するための処理ユニット33と、を含む。
【００８０】
発送ユニット31は、さらに、ダウンリンク探査チャンネルとCQIフィードバック資源指示を送信する前に、CQIフィードバック要求を送信し、そのうち、CQIフィードバック要求はSTAがCQI情報をフィードバックするように指示するためのものであるのは、好ましい。
発送ユニット31は、さらに、ダウンリンク探査チャンネルとCQIフィードバック資源指示を送信した後で、CQIフィードバック要求を送信するのは、好ましい。
【００８１】
発送ユニット31は、さらに、ダウンリンク探査チャンネルとCQIフィードバック資源指示を送信すると同時、CQIフィードバック要求をともに送信するのは、好ましい。
チャンネル品質情報CQIフィードバック要求は、ダウンリンク探査チャンネル及びCQIフィードバック資源指示とともに物理フレームにパッケージされて送信され、当該CQIフィードバック要求は物理フレームのコントロールチャンネルで指示を行うのは、好ましい。
【００８２】
上述のリンクアダプテーションを実現するための方法を実現するために、本発明実施例3では、さらに端末装置を提供し、図15に示すように、当該端末装置は、
ネットワーク機器から送信されたダウンリンク探査チャンネルとチャンネル品質情報CQIフィードバック資源指示を受信するための受信ユニット41と、
ダウンリンク探査チャンネルに対して検出を行ってCQI情報を取得するための検出ユニット42と、
フィードバック資源においてネットワーク機器にフィードバックを行うためのフィードバックユニット43と、を含む。
【００８３】
受信ユニット41は、さらにCQIフィードバック要求を受信するのは、好ましい。
フィードバック資源において、CQIフィードバック要求の指示によってネットワーク機器にフィードバックを行うのは、好ましい。
上述のリンクアダプテーションを実現するための方法を実現するために、本発明実施例3ではさらにリンクアダプテーションを実現するためのシステムを提供し、当該システムは、例えば本発明実施例3の提供するネットワーク機器と端末装置を含む。
【００８４】
本発明実施例3の提供するリンクアダプテーションを実現するためのシステム、ネットワーク機器、端末装置について、その動作原理および関係操作の流れは、上述の要求―応答に基づいてフィードバック・メカニズムにおいてダウンリンク・リンクアダプテーションを実現する方法の実施案の場合とほぼ同じなので、ここで贅言しない。
【００８５】
上述のように、本実施例の提供する要求フィードバック・メカニズムを用いることで、CAPはSTAの行うCQIフィードバックに対する配置と管理を行うことを実現でき、資源配置をできるだけ最適化して、システム効率を向上させ、CAPがチャンネル資源を統一して計画案配することを実現し、ユーザは更に空間資源で多重化を行うことができるので、スペクトルの利用率が向上させ、スペクトル資源をアダプティブにスケジューリングすることができ、スペクトルの利用率とシステム性能を高める。また、MAC層で先にCQIフィードバック要求を伝送してから、CQIをフィードバックし、CQIフィードバック要求とCQIフィードバックのどちらにとっても、物理層におけるコントロールチャンネルによる資源配分が必要なので、少なくとも二回のインタラクティブは必要である。しかし、本実施例において、物理層におけるコントロールチャンネルがCQIフィードバックに資源を配分する時、1バイトでCQIフィードバック要求を指示し、一回のインタラクティブでMAC層における二回のインタラクティブの機能を実現でき、システムの負荷を減らしただけでなく、フィードバック要求の遅延も減少させる。
【実施例４】
【００８６】
図1を参照し、本発明実施例4は他のダウンリンク・リンクアダプテーションを実現するための方法を提供し、要求―応答フィードバック・メカニズムを用い、主に以下の手順101〜手順S103を含む。
手順S101では、CAPは各STAにダウンリンク探査チャンネルとCQIフィードバック資源指示を送信する。
【００８７】
ダウンリンク探査チャンネルとCQIフィードバック資源指示を送信する前に、CQIフィードバック要求を送信するのは、好ましい。
ダウンリンク探査チャンネルとCQIフィードバック資源指示を送信した後で、CQIフィードバック要求を送信するのは、好ましい。
ダウンリンク探査チャンネルとCQIフィードバック資源指示を送信すると同時に、CQIフィードバック要求をともに送信するのは、好ましい。
【００８８】
実施例3と異なって、当該CQIフィードバック要求は、MAC層でチャンネル探査フレームにパッケージされ、物理層におけるダウンリンク伝送チャンネルで送信され、当該チャンネル探査フレームは、MACフレームである。当該チャンネル探査フレームは、CQIフィードバック要求付きのものである。当該CQIフィードバック要求は、STAにCQIフィードバックを要求する。CAPは各STAにブロードキャスト方法又はユニキャスト方法でチャンネル探査フレームを送信し、各STAがCQI情報をフィードバックするように要求する。そのうち、CAPの送信はマルチユーザCQIフィードバック要求であれば、CQIフィードバック要求は複数のSTAのCQIフィードバック要求を含む。
【００８９】
手順S101の前に、CAPは予め以下の準備をするのは、好ましい。
CAPは物理層におけるシステム情報チャンネルでダウンリンク探査信号を送信するためのダウンリンク探査チャンネルを配置し、これにより、STAはダウンリンクチャンネルの測定を完成し、CQI情報を取得する。
【００９０】
CAPはコントロールチャンネルでSTAに、STAがCQI情報をフィードバックするためのCQI伝送の資源を配分し、具体的は、コントロールチャンネルにCQIフィードバック資源指示を配置することで実現する。コントロールチャンネルには、STAに配分した複数のCQIフィードバック資源指示情報を同時に含むことができ、この情報は、各STAの標識と配分された資源指示などの指示情報を含み、そのうち、配分された資源指示情報は、具体的にシンボルオフセットと継続時間を含む。配分された資源指示情報は、さらに、CQI伝送モードを含むことができ、そのうち、CQI伝送モードは、変調・符号化方式（MCS）と空間ストリーム数指示（Nss）を含むのは、好ましい。
【００９１】
当該チャンネル探査フレームはMACフレームヘッダとフレーム体を含み、ブロードキャスト送信の場合、CQIフィードバック要求にはさらにSTA標識を含み、要求されるのはマルチユーザCQIフィードバックの場合、フレーム体には複数のSTAのCQIフィードバック要求の情報を含むことができ、この時、チャンネル探査フレームのフレーム構造は図16に示すようであるのは、好ましい。
要求―応答に基づくフィードバック・メカニズムとは、CAPが具体的なシーンに応じて各STAにCQIフィードバック要求を自発的に送信するのは、好ましい。
【００９２】
CAPはCQIフィードバック資源要求を開始すると決めると、MAC層でCQIフィードバック要求付きのチャンネル探査フレームをパッケージし、物理フレームのダウンリンク伝送チャンネルで送信する、図17に示すようである。
手順S102では、STAはCQIフィードバック要求に応答し、フィードバック資源においてCQIフィードバック資源指示に従ってCQI情報をフィードバックする。
【００９３】
STAは探査フレームを受信した後、ダウンリンク探査チャンネルに応じて、チャンネル品質を推定・計算し、CQIフィードバック要求に応じて、CAPにCQI情報をフィードバックするのは、好ましい。フィードバック資源においてCQIフィードバック資源指示に応じてCAPにCQI情報をフィードバックするのは、好ましい。本フレームのアップリンクサブフレームにおいて、コントロール情報に指示された資源に従って、低価格の変調方法（例えばBPSK又はQPSK又は単流モード）を用いてCQI情報をフィードバックし、すなわち、STAはMACフレームをパッケージしてCQIフィードバック情報を伝送する必要があるのは、好ましい。
【００９４】
STAはダウンリンク探査チャンネル、CQIフィードバック要求、CQIフィードバック資源指示を受信し、ダウンリンク探査チャンネルに検出を行い、すなわち、ダウンリンク探査チャンネルに応じてチャンネル品質を推定・計算し、CQI情報を取得し、CQIフィードバック要求に応答し、フィードバック資源においてCQIフィードバック要求の指示に応じてフィードバックを行うのは、好ましい。
フィードバックされたCQI情報について、その具体的な説明は実施例2における説明と同じなので、ここで贅言しない。
【００９５】
手順S103では、CAPが各STAからフィードバックされたCQI情報を受信し、フィードバックされたCQI情報に応じて、ダウンリンクデータ伝送に適切な伝送モードを選出する。
CAPが各STAからフィードバックされるCQI情報を受信した後、業務優先順位、Qosなどのパラメータを含む上層業務情報と合わせて、各STA業務のスケジューリングを確定し、相応の物理層伝送パラメータを配分し、ダウンリンクデータ伝送を行い、すなわち、相応のSTAにデータを送信するのは、好ましい。
【００９６】
上述のリンクアダプテーションを実現するための方法を実現するために、本発明実施例4は、さらにネットワーク機器を提供し、図14に示すように、当該ネットワーク機器は、
端末装置にダウンリンク探査チャンネルとCQIフィードバック資源指示を送信するための送信ユニット31と、
端末装置からフィードバックされたCQI情報を受信するための受信ユニット32と、
フィードバックされたCQI情報に応じてダウンリンクデータ伝送に適切な伝送モードを選出するための処理ユニット33と、を含む。
【００９７】
送信ユニット31は、さらに、ダウンリンク探査チャンネルとCQIフィードバック資源指示の送信前に、CQIフィードバック要求を送信し、そのうち、CQIフィードバック要求は、STAがCQI情報をフィードバックするように指示するのは、好ましい。
【００９８】
送信ユニット31は、さらに、ダウンリンク探査チャンネルとCQIフィードバック資源指示の送信後、CQIフィードバック要求を送信するのは、好ましい。
送信ユニット31は、さらに、ダウンリンク探査チャンネルとCQIフィードバック資源指示を送信すると同時、CQIフィードバック要求をともに送信するのは、好ましい。
チャンネル品質情報CQIフィードバック要求は、MAC層でチャンネル探査フレームにパッケージされて送信されるのは、好ましい。
【００９９】
送信ユニット31において、当該CQIフィードバック要求は、MAC層でチャンネル探査フレームにパッケージされ、物理層におけるダウンリンク伝送チャンネルで送信されるのは、好ましい。
【０１００】
上述のリンクアダプテーションを実現するための方法を実現するために、本発明実施例4は、さらに、端末装置を提供し、図15に示すように、端末装置は、
ネットワーク機器から送信されたダウンリンク探査チャンネルとチャンネル品質情報指示CQIフィードバック資源指示を受信するための受信ユニット41と、
ダウンリンク探査チャンネルに対して検出を行ってCQI情報を取得するための検出ユニット42と、
フィードバック資源においてネットワーク機器にフィードバックを行うためのフィードバックユニット43と、を含む。
【０１０１】
受信ユニット41は、さらに、CQIフィードバック要求を受信するのは、好ましい。
フィードバック資源において、CQIフィードバック要求の指示に応じてネットワーク機器に対してフィードバックを行うのは、好ましい。
上述のリンクアダプテーションを実現するための方法を実現するために、本発明実施例4では、さらに、リンクアダプテーションを実現するためのシステムを提供し、当該システムは、例えば本実施例4の提供するネットワーク機器と端末装置とを含む。
【０１０２】
本発明実施例4の提供するリンクアダプテーションを実現するためのシステム、ネットワーク機器、端末装置は、その動作原理および関係操作の流れは、上述の要求―応答に基づくフィードバック・メカニズムにおいてダウンリンク・リンクアダプテーションを実現する方法の実施案の場合とほぼ同じなので、ここで贅言しない。
【０１０３】
上述のように、本実施例の提供する要求フィードバック・メカニズムを用いることで、CAPは複数のSTAの行うCQIフィードバックに対する配置・管理を同時に行うことを実現でき、資源配置をできるだけ最適化し、システム効率を向上させ、CAPはチャンネル資源を統一して計画案配することを実現し、ユーザは、さらに空間資源で多重化を行うことができ、これにより、スペクトルの利用率を向上させ、スペクトル資源をアダプティブにスケジューリングすることができ、スペクトルの利用率とシステム性能を高める。
【０１０４】
本発明実施例では、中短距離通信システムを例として説明したが、中短距離通信システムのみへの適用に限らず、他の本発明を用いた方法で実現するシステムも、全部、本発明の保護範囲内に属する。
【０１０５】
開示におけるステップの特定順序または段階は例示的な方法の実施例である。設計の好みベースで、過程の中のステップの特定順序または段階は、本開示の保護範囲から脱離することなく新たに振り当てることができると理解すべきである。特許請求の範囲における方法請求項は例示的な順序により各ステップの要素が挙げられるが、記載している特定順序または段階に限られることではない。
前記詳しい説明では、各特徴を共にシグナル実施形態に組み合わせて、本開示を簡素化するが、このような開示方法を下記の意図の反映に説明するわけではなく、即ち、要求される保護の主題の実施形態は各請求項に明瞭に記載されている特徴よりも多い。その逆に、添付される特許請求の範囲で反映している通り、本発明は開示されるシグナル実施形態の全ての特徴よりも少ない状態に属する。このため、添付される特許請求の範囲が特に明瞭に詳細な説明に合弁され、そのうち、各請求項が独自に本発明の独立の好ましい技術案とする。
【０１０６】
前記記述は１つまたは複数の実施例の例を含む。当然ながら、前記実施例を説明するために、部品または方法に対するすべての可能な組み合わせの説明は不可能であるが、当業者は各実施例を更に組み合わせ・配列できることを理解すべきである。このため、本文では説明する実施例は、添付される特許請求の範囲の保護範囲における全てのこのような変更、修正と変形を含む。また、明細書または特許請求の範囲に使用される「含める」という用語については、当該用語の表現する方式は「含む」という用語と類似し、請求項では接続用語で説明する「含む」の通りである。なお、特許請求の範囲及び明細書におけるいずれかの「または」という用語は「非排他的なまたは」を表すものである。
【図１】
2014509806.tif 000008
【図２】
2014509806.tif 000009
【図３】
2014509806.tif 000010
【図４】
2014509806.tif 000011
【図５】
2014509806.tif 000012
【図６】
2014509806.tif 000013
【図７】
2014509806.tif 000014
【図８】
2014509806.tif 000015
【図９】
2014509806.tif 000016
【図１０】
2014509806.tif 000017
【図１１】
2014509806.tif 000018
【図１２】
2014509806.tif 000019
【図１３】
2014509806.tif 000020
【図１４】
2014509806.tif 000021
【図１５】
2014509806.tif 000022
【図１６】
2014509806.tif 000023
【図１７】
2014509806.tif 000024
【手続補正書】
【提出日】平成26年2月21日(2014.2.21)
【手続補正１】
【補正対象書類名】特許請求の範囲
【補正対象項目名】全文
【補正方法】変更
【補正の内容】
【特許請求の範囲】
【請求項１】
リンクアダプテーションを実現する方法であって、
ダウンリンク探査チャンネルとチャンネル品質情報CQIフィードバック資源指示を送信することと、
CQI情報を受信し、前記CQI情報によって、ダウンリンクデータ伝送に適切な伝送モードを選出することと、を含むことを特徴とする方法。
【請求項２】
請求項1に記載の方法であって、
前記CQIフィードバック資源指示は、STAの標識IDと配分された資源指示を含むことを特徴とする方法。
【請求項３】
請求項2に記載の方法であって、
上述の配分された資源指示は、シンボルオフセット、継続時間、サブチャンネルマッピング、CQI伝送モードという情報のうちの一つまたは複数を含み、
ただし、前記CQI伝送モードは、変調・符号化方式MCSと空間ストリーム数指示Nssとを含むことを特徴とする方法。
【請求項４】
請求項1に記載の方法であって、
前記CQIフィードバック資源指示は、端末装置が前記CQI情報を周期的にフィードバックするように指示するためのフィードバック周期を含むことを特徴とする方法。
【請求項５】
請求項4に記載の方法であって、さらに、
前記端末装置は、前記フィードバック周期計算時間に応じて、時間がフィードバック周期になると、CQI情報を直接にフィードバックすることを含むことを特徴とする方法。
【請求項６】
請求項1に記載の方法であって、さらに、
端末装置が前記CQI情報をフィードバックするように指示するためのCQIフィードバック要求を送信することを含むことを特徴とする方法。
【請求項７】
請求項6に記載の方法であって、
上述の CQIフィードバック要求を送信することは、具体的に、
前記CQIフィードバック要求をMAC層で探査フレームとしてパッケージして送信し、或いは、物理層におけるコントロールチャンネルで前記CQIフィードバック要求を指示することを含むことを特徴とする方法。
【請求項８】
請求項6に記載の方法であって、さらに、
前記端末装置は、前記CQIフィードバック要求に応答し、フィードバック資源においてCQIフィードバック資源指示に従ってCQI情報をフィードバックすることを含むことを特徴とする方法。
【請求項９】
請求項1に記載の方法であって、
前記CQI情報は、
要求された帯域の変調・符号化方式を識別するための変調・符号化方式MCSと、
STAの推薦した符号化方式を識別するためのコーティングタイプと、
要求された帯域幅と空間ストリームにおける平均信号対干渉雑音比を識別するための信号対干渉雑音比SINRと、
フィードバックサブチャンネルの帯域幅と具体的な対応するサブチャンネル番号を識別するためのサブチャンネルマッピングと、いう情報のうちの一つまたは複数を含むことを特徴とする方法。
【請求項１０】
請求項9に記載の方法であって、
前記変調・符号化方式は、第1変調・符号化方式と第2変調・符号化方式に分けられることを特徴とする方法。
【請求項１１】
ネットワーク機器であって、
ダウンリンク探査チャンネルとチャンネル品質情報CQIフィードバック資源指示を送信するための送信ユニットと、
CQI情報を受信するための受信ユニットと、
前記CQI情報に応じて、ダウンリンクデータ伝送に適切な伝送モードを選出するための処理ユニットと、を含むことを特徴とするネットワーク機器。
【請求項１２】
請求項11に記載のネットワーク機器であって、
前記CQIフィードバック資源指示は、STAの標識IDと配分された資源指示を含み、
上述の配分された資源指示は、シンボルオフセット、継続時間、サブチャンネルマッピング、CQI伝送モードという情報のうちの一つまたは複数を含み、
ただし、前記CQI伝送モードは、さらに、変調・符号化方式MCSと空間ストリーム数指示Nssとを含むことを特徴とするネットワーク機器。
【請求項１３】
請求項11に記載のネットワーク機器であって、
前記CQIフィードバック資源指示は、端末装置が前記CQI情報を周期的にフィードバックするように指示するためのフィードバック周期を含むことを特徴とするネットワーク機器。
【請求項１４】
請求項11に記載のネットワーク機器であって、
前記送信ユニットは、さらに、CQIフィードバック要求を送信し、端末装置がCQIフィードバック要求に応答するように指示し、前記CQI情報をフィードバックすることを特徴とするネットワーク機器。
【請求項１５】
請求項11に記載のネットワーク機器であって、
前記CQI情報は、
要求された帯域の変調・符号化方式を識別するための変調・符号化方式MCSと、
STAの推薦した符号化方式を識別するためのコーティングタイプと、
要求された帯域幅と空間ストリームにおける平均信号対干渉雑音比を識別するための信号対干渉雑音比SINRと、
フィードバックサブチャンネルの帯域幅と具体的な対応するサブチャンネル番号を識別するためのサブチャンネルマッピングと、いう情報のうちの一つまたは複数を含み、
前記変調・符号化方式は、第1変調・符号化方式と第2変調・符号化方式に分けられることを特徴とするネットワーク機器。
【請求項１６】
端末装置であって、
ダウンリンク探査チャンネルとチャンネル品質情報CQIフィードバック資源指示を受信するための受信ユニットと、
前記ダウンリンク探査チャンネルに対して検出を行ってCQI情報を取得するための検出ユニットと、
フィードバック資源においてCQI情報をフィードバックするためのフィードバックユニットと、を含むことを特徴とする端末装置。
【請求項１７】
請求項16に記載の端末装置であって、
前記CQIフィードバック資源指示は、STAの標識IDと配分された資源指示を含み、
上述の配分された資源指示は、具体的に、シンボルオフセット、継続時間、サブチャンネルマッピング、CQI伝送モードという情報のうちの一つまたは複数を含み、
ただし、前記CQI伝送モードは、変調・符号化方式MCSと空間ストリーム数指示Nssとを含むことを特徴とする端末装置。
【請求項１８】
請求項16に記載の端末装置であって、
前記CQIフィードバック資源指示は、端末装置が前記CQI情報を周期的にフィードバックするように指示するためのフィードバック周期を含み、
前記フィードバックユニットは、前記フィードバック周期に応じて時間を計算し、時間がフィードバック周期になると、CQI情報を直接にフィードバックすることを特徴とする端末装置。
【請求項１９】
請求項16に記載の端末装置であって、
前記CQI情報は、
要求された帯域の変調・符号化方式を識別するための変調・符号化方式MCSと、
STAの推薦した符号化方式を識別するためのコーティングタイプと、
要求された帯域幅と空間ストリームにおける平均信号対干渉雑音比を識別するための信号対干渉雑音比SINRと、
フィードバックサブチャンネルの帯域幅と具体的な対応するサブチャンネル番号を識別するためのサブチャンネルマッピングと、いう情報のうちの一つまたは複数を含むことを特徴とする端末装置。
【請求項２０】
請求項19に記載の端末装置であって、
前記変調・符号化方式は、第1変調・符号化方式と第2変調・符号化方式に分けられることを特徴とする端末装置。
【国際調査報告】
2014509806.tif 000025
2014509806.tif 000026
2014509806.tif 000027
2014509806.tif 000028
2014509806.tif 000029
2014509806.tif 000030